(57)【特許請求の範囲】
【請求項１】
密閉状のろ過槽（１）の上半部に、多数の小孔を有するろ材流出防止板（２）を設け、このろ材流出防止板（２）の下方に浮上ろ材（１０…）を収納したろ過室（３）と、ろ材流出防止板（２）の上方に葉状ろ過機（１７）を配設したプリコートろ過室（４）に分割し、分割するろ材流出防止板（２）に多数の小孔を有する摺動板（５）を重設し、この摺動板（５）の回動駆動装置を配設して、ろ材流出防止板（２）の小孔を開閉自在として、先ず、ろ過室（３）とプリコートろ過室（４）に原液を充満させ、次に、ろ材流出防止板（２）の小孔を閉止して、プリコートろ過室（４）にコーティング材を供給して葉状ろ過機（１７）のろ材表面にプリコート層を形成した後、ろ材流出防止板（２）の小孔を開放して原液の供給を開始し、ろ過室（３）の浮上ろ材（１０…）のろ材層（１３）で固液分離を行い、プリコートろ過室（４）に流入した分離水を葉状ろ過機（１７）で精密ろ過を行うことを特徴とする複合精密ろ過方法。
【請求項２】
上記ろ過室（３）の底部にろ材層（１３…）の攪拌翼（１２）と、プリコートろ過室（４）の葉状ろ材（１９）の内部に供給する洗浄水管（２５）を配設して、ろ材層（１３）と葉状ろ材（１９）が目詰まりした時に、ろ材流出防止板（２）の小孔を閉止して、ろ過室（３）のろ材層（１３）の攪拌とプリコートろ過室（４）の葉状ろ材（１９）の逆洗を、個別にあるいは同時に行って、ろ材層（１３…）に捕捉した懸濁物を浮上ろ材（１０…）から分離し、葉状ろ材（１９）のろ材面に積層する目詰まり物を噴射させることを特徴とする請求項１記載の複合精密ろ過方法。
【請求項３】
密閉状のろ過槽（１）の上半部に、多数の小孔を有するろ材流出防止板（２）を設け、このろ材流出防止板（２）の下方に浮上ろ材（１０…）を収納したろ過室（３）と、ろ材流出防止板（２）の上方に葉状ろ過機（１７）を配設したプリコートろ過室（４）に分割し、分割するろ材流出防止板（２）に多数の小孔を有する摺動板（５）を重設し、この摺動板（５）の回動駆動装置を配設して、ろ材流出防止板（２）の小孔を開閉自在とすると共に、ろ過室（３）の底部に原液の供給口（１１）とろ材の攪拌翼（１２）を設け、プリコートろ過室（４）にコーティング材の供給口（２６）を開口して、葉状ろ過機（１７）にろ液の排出管（２１）を接続したことを特徴とする複合精密ろ過装置。
【請求項４】
上記摺動板（５）の回動駆動装置が、ろ材流出防止板（２）の中心部に枢支杆（６）で軸支され、摺動板（５）の円周部に従動傘歯車（７）が嵌着されて、この従動傘歯車（７）に噛合わせた駆動傘歯車（８）が駆動軸（９）に連結してあることを特徴とする請求項３に記載の複合精密ろ過装置。
【請求項５】
上記葉状ろ過機（１７）が、駆動機（２３）を配設した駆動軸（１８）をプリコートろ過室（４）の頂部から垂下させ、この駆動軸（１８）に多数の円板状の葉状ろ材（１９）を連結して、葉状ろ材（１９）で分離したろ液の排出流路（１９ａ）を駆動軸（１８）に設け、この駆動軸（１８）の排出流路（１９ａ）に排水管（２１）を接続して、排水管（２１）に洗浄水管（２５）を連結してあることを特徴とする請求項３または４に記載の複合精密ろ過装置。
【請求項６】
上記葉状ろ過機（１７）が、プリコートろ過室（４）の頂部から垂下したろ液管（３３）に多数の円板状の葉状ろ材（３４）を連結し、この葉状ろ材（３４）の内部に配設した洗浄ノズル（３５）をろ液管（３３）の内部に垂下させた洗浄管（３６）に連結し、ろ過槽（１）の外部の駆動機（３７）に洗浄管（３６）を連結して、洗浄ノズル（３５）を回動自在に配設してあることを特徴とする請求項３記載の複合精密ろ過装置。
【発明の詳細な説明】
【０００１】
【発明の属する技術分野】
この発明は、プールの浄化処理、下水を二次処理水として使用する排水処理、あるいは、化学工業、食品工業等の精密ろ過を要する原液を対象として固液分離を行い、清澄度の高いろ液を得る複合精密ろ過方法並びにろ過装置に関する。
【０００２】
【従来の技術】
従来、下水、し尿などをリサイクル水として利用するために、あるいは、化学工業などのプロセスとして、原液を砂ろ過機で固液分離を行い、この分離水をプリコートフイルターや低圧型の逆浸透膜などの精密ろ過装置と組合せて、清澄度の高い処理水としていた。また、ろ過槽に浮上ろ材を収納し、ろ過槽の頂部に集水ノズルと、底部に原液の供給管とろ材の洗浄攪拌翼を設けた浮上ろ材を用いたろ過装置は、例えば、この発明の出願人が、特開平０９−１５５１１６号公報において提案しているように公知である。そして、密閉ろ過槽に回転駆動軸を垂設し、平板状の葉状ろ材を多数並列し、葉状ろ材に珪藻土をプリコートして、葉状ろ材を回転させながら精密ろ過を行う装置も、例えば、特開平１１−１２８６２０号公報に記載してあるように良く知られている。
【０００３】
【発明が解決しようとする課題】
上記の砂ろ過装置と精密ろ過装置を組合せた従来技術にあっては、清澄ろ過が行えるものであるが、装置間に貯水槽や給水ポンプなどの補器類が必要となり、処理設備が複雑となっていた。また、砂ろ過装置の洗浄が困難で、洗浄水量も多く必要としていた。浮上ろ材を用いたろ過装置は、浮上ろ材が形成するろ材層は目詰まりが少なく、原液の大量処理が可能であり、ろ材層を形成したろ材の洗浄も容易であるが、このろ過装置単独では、固液分離を行った処理水中に微細な浮遊物が混入する問題があった。また、珪藻土を葉状ろ材にコーティングした葉状ろ過機は、原液中の微細な浮遊物も分離できるものであるが、濁度の高い原液では、ろ材のプリコート層の目詰りが発生し、頻繁にろ材面の掻取りや洗浄が必要であった。この発明は、浮上ろ材を用いたろ過装置と葉状ろ過機を組合せ、両者の長所を利用した複合精密ろ過方法並びにろ過装置を提供することを目的とする。
【０００４】
【課題を解決するための手段】
この発明の要旨は、密閉状のろ過槽の上半部に、多数の小孔を有するろ材流出防止板を設け、このろ材流出防止板の下方に浮上ろ材を収納したろ過室と、ろ材流出防止板の上方に葉状ろ過機を配設したプリコートろ過室に分割し、分割するろ材流出防止板に多数の小孔を有する摺動板を重設し、この摺動板の回動駆動装置を配設して、ろ材流出防止板の小孔を開閉自在として、先ず、ろ過室とプリコートろ過室に原液を充満させ、次に、ろ材流出防止板の小孔を閉止して、プリコートろ過室にコーティング材を供給して葉状ろ過機のろ材表面にプリコート層を形成した後、ろ材流出防止板の小孔を開放して原液の供給を開始し、ろ過室の浮上ろ材のろ材層で固液分離を行い、プリコートろ過室に流入した分離水を葉状ろ過機で精密ろ過を行う複合精密ろ過方法であり、洗浄が容易な浮上ろ材のろ材層で原液中の懸濁物が分離され、葉状ろ過機で微細な浮遊物だけを分離するので、大量処理が可能となり、清澄ろ過が行えるものである。
【０００５】
そして、ろ過室の底部にろ材の攪拌機とプリコートろ過室の葉状ろ材の内部へ供給する洗浄水管を配設して、ろ材層と葉状ろ材が目詰まりした時に、ろ材流出防止板の小孔を閉止して、ろ過室のろ材層の攪拌とプリコートろ過室の葉状ろ材の逆洗を、個別にあるいは同時に行って、ろ過室のろ材層に捕捉した懸濁物をろ材から分離し、プリコートろ過室の葉状ろ材に積層する目詰まり物を噴射して剥離させる複合精密ろ過方法であり、ろ過室とプリコートろ過室の間のろ材流出防止板の小孔の開閉を切換えて、葉状ろ材のプリコート層を形成して固液分離を行って、目詰まり時のろ材の再生ができるものである。そして、懸濁物を多く含む原液でも、ろ過槽のろ材流出防止板の小孔を閉止すれば、ろ過室の懸濁物を捕捉したろ材層の洗浄が可能となるものである。
【０００６】
複合精密ろ過方法を実施するろ過装置が、密閉状のろ過槽の上半部に、多数の小孔を有するろ材流出防止板を設け、このろ材流出防止板の下方に浮上ろ材を収納したろ過室と、ろ材流出防止板の上方に葉状ろ過機を配設したプリコートろ過室に分割し、分割するろ材流出防止板に多数の小孔を有する摺動板を重設し、この摺動板の回動駆動装置を配設して、ろ材流出防止板の小孔を開閉自在とすると共に、ろ過室の底部に原液の供給口とろ材の攪拌翼を設け、プリコートろ過室にコーティング材の供給口を開口して、葉状ろ過機にろ液の排出管を接続したもので、浮上ろ材が形成するろ材層は目詰まりが少なく、原液の大量処理が可能であり、ろ材層を形成したろ材の洗浄も容易である。そして、分離液に含まれる微細な浮遊物だけをプリコートろ過室の葉状ろ過機で分離するもので、葉状ろ材の目詰まりも少なくて、原液の大量処理と精密ろ過が行えるものである。また、濁度の高い原液を供給しても、懸濁物がろ材層に捕捉され、ろ材流出防止板の小孔を閉止すれば、ろ過室のろ材層の洗浄が単独でも行えるものである。
【０００７】
摺動板の回動駆動装置は、ろ材流出防止板の中心部に軸支され、摺動板の円周部に従動傘歯車が嵌着されて、この従動傘歯車に噛合わせた駆動傘歯車が駆動軸に連結したもので、摺動板を回転させて、ろ材流出防止板の小孔と摺動板の小孔を連通させ、あるいは、ろ過室とプリコートろ過室の間のろ材流出防止板を閉止して、プリコート層のコーティングとろ材層の洗浄を行い、ろ材流出防止板の小孔ろ過室とプリコートろ過室での原液の清澄ろ過が行えるものである。そして、プリコートろ過室に配設する葉状ろ過機は、駆動機を配設した駆動軸をろ過室の頂部から垂下させ、この駆動軸に多数の円板状の葉状ろ材を連結して、葉状ろ材で分離したろ液の排出流路を駆動軸に設け、この駆動軸の排出流路に排水管を接続して、排水管に洗浄水管を連結しても、あるいは、葉状ろ過機が、ろ過室の頂部から垂下したろ液管に多数の円板状の葉状ろ材を連結し、この葉状ろ材の内部に配設した洗浄ノズルをろ液管の内部に垂下させた洗浄管に連結し、ろ過槽外部の駆動機に洗浄管を連結して、洗浄ノズルを回動自在に配設してもよいもので、葉状ろ過機に洗浄水を供給して葉状ろ材の逆洗が行えるものである。
【０００８】
【発明の実施の形態】
この発明に係る装置は上記のように構成してあり、対象原液の固液分離にあたり、先ず、ろ過槽の底部から原液を供給してろ過室とプリコートろ過室に原液を充満させる。ろ材流出防止板の小孔を閉止して、プリコートろ過室にコーティング材を供給し、葉状ろ過機のろ材表面にプリコート層を形成する。次に、ろ材流出防止板の小孔を開放し、ろ過室に原液を供給して所定時間捨て水を行った後、固液分離を開始する。そして、浮上ろ材のろ材層で原液中の懸濁物を捕捉して固液分離を行い、ろ材流出防止板の小孔を通過した分離水がプリコートろ過室に流入する。分離水中に含まれる微細な浮遊物は、葉状ろ過機のろ材面に捕捉され、葉状ろ過機のろ材を通過したろ液はろ過槽外に排出される。
【０００９】
やがて、ろ過室のろ材層とプリコートろ過室の葉状ろ過機が目詰まりした時には、ろ材流出防止板の小孔を閉止して、ろ過室の攪拌翼によりろ材層を攪拌して捕捉した懸濁物をろ過室から排出する。また、プリコートろ過室の葉状ろ過機の内部に洗浄水を噴射して葉状ろ材のろ材面に積層する固形分を取除き、ろ過槽外に排出する。ろ過室のろ材層の攪拌とプリコートろ過室の葉状ろ材の逆洗を、個別にあるいは同時に行って、ろ材層に捕捉した固形物をろ材から分離し、葉状ろ材のろ材面に積層する目詰まり物を噴射させれば、再び、複合精密ろ過が可能となる。
【００１０】
【実施例】
この発明に係る複合精密ろ過装置について、図面に基づき詳述すると、先ず図１は複合精密ろ過装置であって、密閉状のろ過槽１の上半部に設けたフランジ１ａに挟持させてろ材流出防止板２が設けてあり、このろ材流出防止板２の下方にろ過室３と、ろ材流出防止板２の上方のプリコートろ過室４に分割してある。図２に示すように、ろ材流出防止板２に多数の小孔が設けてあり、ろ材流出防止板２と同数の多数の小孔を有する摺動板５がろ材流出防止板２に重ね合せてある。この摺動板５の回転駆動装置は、摺動板５の中心部を枢支杆６で摺動板５がろ材流出防止板２に軸支してあり、摺動板５の外周面に嵌着した従動傘歯車７に駆動傘歯車８が噛合せてある。駆動傘歯車８の駆動軸９がろ過槽１の外部に突出させて公知の駆動手段で駆動傘歯車８を回転させるようにしてあり、摺動板５を回転させてろ材流出防止板２の小孔を開閉できるようにしてある。なお、摺動板５はろ材流出防止板２の下側に摺接させてもよいものである。
【００１１】
図１に示すように、ろ過槽１のろ過室３には比重の軽い浮上ろ材１０が収納してあり、この浮上ろ材１０は粒状ろ材、あるいは繊維ろ材とすることができる。ろ過室３の底部に原液の供給口１１とろ材の攪拌翼１２が設けてあり、原水を上向流で供給した時に浮上ろ材１０…がろ過室２の上部にろ材層１３を形成するようにしてある。浮上ろ材１０として繊維ろ材を用いれば、ろ過運転時にろ材が目詰まりしてきても空隙率が大きく長時間の運転を可能とするもので、洗浄においても捕捉した微細粒子の剥離が容易である。また、繊維ろ材と比較して粒状ろ材は空隙率は少なくなるが、ろ材層が大きくてもろ材は流動しやすく洗浄が容易であり、濁度の高い原液でも大量処理を行うことができる。そして、ろ材層１３で原液中の懸濁物を捕捉してろ材層１３が目詰まりしたときには、駆動機１４で攪拌翼１２を回転させてろ材層１３を攪拌し、浮上ろ材１０…から懸濁物を分離させ、原液供給管１５に設けた洗浄水排水管１６から排出するようにしてあり、ろ材層１３が目詰まりしても、簡単に浮上ろ材の洗浄が行えるものである。なお、符号Ｖ１、Ｖ２は原液供給管１５と洗浄水排水管１６に設けた開閉弁である。
【００１２】
図１に示すように、ろ過槽１の上部のプリコートろ過室４には葉状ろ過機１７が配設してあり、この葉状ろ過機１７はプリコートろ過室４の頂部から垂下させた駆動軸１８に多数の円板状の葉状ろ材１９…が連結してある。駆動軸１８には葉状ろ材１９に連通させた排出流路１９ａが設けてあり、この駆動軸１８はスイベルジョイント２０を介してろ液の排出管２１に連結してある。駆動軸１８の上部にはスプロケット２２が嵌着してあり、スプロケット２２と駆動機２３が連動連結してあり、駆動軸１８の上部に配設した駆動機２３で葉状ろ過機１７を回転させるようにしてある。ろ液の排出管２１には、捨て水管２４と洗浄水管２５が分岐させて連結してあり、それぞれの配管に開閉弁Ｖ３、Ｖ４、Ｖ５が設けてある。プリコートろ過室４の上部にコーティング材の供給口２６が設けてあり、供給ポンプ２７を配設した珪藻土の溶解槽２８の供給管２９に連結してある。そして、ろ過室３からプリコートろ過室４に原液を充満させた後、摺動板５を回転させてろ材流出防止板２の小孔を閉止して、葉状ろ過機１７を回転させながら、供給ポンプ２７で珪藻土を溶解槽２８から供給管２９を通してプリコートろ過室４に圧入し、葉状ろ材１９に流入したプリコートのろ液を捨て水管２４から排出して葉状ろ過機１７の葉状ろ材１９のろ過面にプリコート層を形成させるようにしてある。
【００１３】
プリコートろ過室４の底部に設けた排出口３０に珪藻土の溶解槽２８に連通させた返送管３１が連結してあり、珪藻土を循環させながら葉状ろ材１９にコーティングしてもよいものである。この返送管３１から分岐して洗浄排水管３２が設けてあり、葉状ろ過機１７の葉状ろ材１９のろ材面に固形物が積層して目詰まりした時に、ろ液の排出管２１に分岐させた洗浄水管２５から洗浄水を葉状ろ過機１７に圧入し、葉状ろ材１９を内部から逆洗するようにしてあり、プリコートろ過室４の洗浄排水を洗浄排水管３２から排出するようにしてある。なお、符号Ｖ６は珪藻土の供給管２９に設けた開閉弁である。符号Ｖ７、Ｖ８は返送管３１と洗浄排水管３２に設けた開閉弁である。図３は複合精密ろ過装置の他の実施例であって、葉状ろ過機１７が、プレコートろ過室４の頂部から垂下したろ液管３３に多数の円板状の葉状ろ材３４を連結し、この葉状ろ材３４の内部に配設した洗浄ノズル３５をろ液管３３の内部に垂下させた洗浄管３６に連結し、ろ過槽外部の駆動機３７に洗浄管３６を連結して、洗浄ノズル３５を葉状ろ材３４の内部で回動させて、葉状ろ材３４の目詰まり物を洗浄するようにしてある。
【００１４】
この発明の複合精密ろ過装置は上記のように構成してあり、図１の複合精密ろ過装置の運転方法は、
（１）充液工程
▲１▼摺動板５を回転して、ろ材流出防止板２の小孔を開放し、
▲２▼原液をろ過槽１に供給してろ過室３とプリコートろ過室４に原液を充満させる。
▲３▼ろ液の排水管２１の開閉弁Ｖ３と洗浄水管２５の開閉弁Ｖ５を閉止、捨て水管２４の開閉弁Ｖ４を開放する。
（２）珪藻土プリコート工程
▲１▼摺動板５を回転させてろ材流出防止板２の小孔を閉止し、プリコートろ過室４をろ液室３から遮断する。
▲２▼珪藻土を溶解槽２８から供給ポンプ２７でプリコートろ過室４に圧入して、
▲３▼葉状ろ過機１７の葉状ろ材１９にろ液を流入させ、珪藻土を葉状ろ材１９に捕捉させてろ材面にプリコート層を形成させる。ろ液は捨て水管２４から排出する。
▲４▼引続き、葉状ろ材１９のプリコート脱落防止のために供給ポンプ２７を継続運転する。
（３）循環工程
▲１▼供給口１１からろ過室３に原液供給を開始し、浮上ろ材１０のろ過層１３を形成させる。
▲２▼摺動板５を回転させてろ材流出防止板２の小孔を開放し、ろ過室３とプリコートろ過室４を連通させて、原液中の懸濁物をろ過室３のろ過層１３で捕捉して、微細な浮遊物だけが含まれる分離水をプリコートろ過室４に流入させる。
▲３▼継続運転中の珪藻土の供給ポンプ２７を停止する。
▲４▼葉状ろ過機１７に流入したろ液は、ろ液が安定するまで所定時間捨て水管２４から排出する。
（４）ろ過工程
▲１▼洗浄水管２５の開閉弁Ｖ５と捨て水管２４の開閉弁Ｖ４を閉止し、ろ液の排出管２１の開閉弁Ｖ３を開放して、安定したろ液を排出管２１から排出する。
（５）ろ材洗浄工程−ろ過室
▲１▼摺動板５を回転させて、ろ材流出防止板２の小孔を閉止し、ろ過室３とプリコートろ過室４の間を遮断する。
▲２▼ろ過室３への原液の供給を停止して、原液供給用の開閉弁Ｖ１を閉止する。
▲３▼ろ過室３の攪拌翼１２を旋回させて、ろ材層１３を形成する浮上ろ材１０を攪拌して、浮上ろ材１０で捕捉した懸濁物を分離させる。
▲４▼原液供給管１５から分岐させた洗浄水排水管１６の開閉弁Ｖ２を開放し、攪拌した懸濁原水を排水する。
（６）ろ材洗浄工程−プリコートろ過室
▲１▼ろ液の排出管２１の開閉弁Ｖ３と捨て水管２４の開閉弁Ｖ４を閉止して、
▲２▼洗浄水管２５の開閉弁Ｖ５を開放し、洗浄水を葉状ろ過機１７に圧入する。
▲３▼珪藻土の返送管３１の開閉弁Ｖ７を閉止し、洗浄排水管３２の開閉弁Ｖ８を開放して、
▲４▼葉状ろ過機１７の葉状ろ材１９から剥離させた固形物を含む懸濁液を洗浄排水管３２から排出する。
ろ過室３のろ材層１３の攪拌は、適宜実施し、あるいは、プリコートろ過室４の葉状ろ材１９と一緒に行えばよいもので、原液中の濁度の高い懸濁物質を浮上ろ材１０のろ材層１３で分離して、微細粒子だけを含む分離水を葉状ろ過機１７で処理するので清澄ろ過が行われ葉状ろ材１９の目詰まりも少ないものである。そして、浮上ろ材を用いたろ過装置は、浮上ろ材が形成するろ材層は目詰まりが少なく、ろ材層を形成したろ材の洗浄も容易であり、ろ過室３が単独で洗浄できるので、原液の大量処理が可能となる。
【００１５】
【発明の効果】
以上のように、この発明に係る複合精密ろ過方法は、開閉自在な小孔を有するろ材流出防止板でろ過槽をろ過室とプリコートろ過室に分割して、ろ過室とプリコートろ過室に原液を充満させ、次に、ろ材流出防止板の小孔を閉止して、プリコートろ過室の葉状ろ材のろ材表面にプリコート層を形成した後、ろ材流出防止板の小孔を開放して原液の供給を開始し、ろ過室の浮上ろ材のろ材層で懸濁物を分離し、微細な浮遊物だけを含む分離水をプリコートろ過室に供給し、葉状ろ過機で微細な浮遊物だけを分離するので、葉状ろ過機の目詰まりが減少して、大量処理が可能な清澄ろ過が行えるものである。そして、ろ材層と葉状ろ材が目詰まりした時には、ろ材流出防止板の小孔を閉止して、ろ過室のろ材層の攪拌と、プリコートろ過室の葉状ろ材の逆洗を、個別にあるいは同時に行えるもので、懸濁物を多く含む原液でも、洗浄が容易なろ過室のろ材層で懸濁物が捕捉されるものである。
【００１６】
そして、この発明に係る複合精密ろ過方法を実施するろ過装置が、多数の小孔を開閉自在としたろ材流出防止板で浮上ろ材を収納したろ過室と葉状ろ過機を配設したプリコートろ過室にろ過槽を分割し、ろ過室の底部に原液の供給口とろ材の攪拌翼を設け、プリコートろ過室にコーティング材の供給口を開口して、葉状ろ過機にろ液の排出管を接続したもので、分離液に含まれる微細な浮遊物だけをプリコートろ過室の葉状ろ過機で分離するので、葉状ろ材の目詰まりも少なくて、原液の大量処理と精密ろ過が行えるものである。また、濁度の高い原液を供給しても、浮上ろ材が形成するろ材層は目詰まりが少なくて洗浄も容易であり、ろ材層に捕捉した懸濁物は、ろ材流出防止板の小孔を閉止すれば、ろ材層を形成したろ材の洗浄も簡単に行えるもので、従来の砂ろ過装置と精密ろ過装置を組合せた従来技術と比較して、処理設備と処理操作が簡単となるものである。
【図面の簡単な説明】
【図１】この発明に係る複合精密ろ過装置の縦断側面図である。
【図２】同じく、ろ材流出防止板の小孔の開閉装置の一部縦断側面図である。
【図３】複合精密ろ過装置の他の実施例の縦断側面図である。
【符号の説明】
１  ろ過槽
２  ろ材流出防止板
３  ろ過室
４  プリコートろ過室
５  摺動板
６  枢支杆
７  従動傘歯車
８  駆動傘歯車
９、１８  駆動軸
１０  浮上ろ材
１１、２６  供給口
１２  攪拌翼
１３  ろ材層
１７  葉状ろ過機
１９、３４  葉状ろ材
１９ａ  排出流路
２１  排出管
２３、３７  駆動機
２５  洗浄水管
３３  ろ液管
３５  洗浄ノズル
３６  洗浄管
【図１】
0004029263.tif 000002
【図２】
0004029263.tif 000003
【図３】
0004029263.tif 000004